(57)【特許請求の範囲】
【請求項１】
複合映像信号を出力するカメラ部と、
照明装置と、
前記カメラ部から出力される複合映像信号をバッファリングする第１のバッファ回路と、
前記第１のバッファ回路から出力される複合映像信号から同期信号をスライスして取り除して映像信号のみを取り出し、積分して照明制御信号を生成する照明制御信号生成回路と、
前記照明制御信号生成回路で生成された照明制御信号に基づいて前記照明装置の発光量を制御する照明駆動回路と
を備える監視カメラであって、
前記照明制御信号生成回路は、
前記第１のバッファ回路から入力される複合映像信号の直流分をカットするコンデンサと、
第１のトランジスタを用いて構成され、前記コンデンサで直流分がカットされた複合映像信号を入力して、その複合映像信号の同期信号の先端を所定の電位にクランプするクランプ回路と、
前記第１のトランジスタとは相補的な第２のトランジスタを用いた１段のバッファ増幅器で構成され、前記クランプ回路から出力された複合映像信号をバッファリングする第２のバッファ回路と、
互いに相補的な第３、第４の２つのトランジスタを用いて構成され、前記第２のバッファ回路から出力される複合映像信号から同期信号をスライスして取り除くスライス回路と、
互いに相補的な第５、第６の２つのトランジスタ、または、第５のトランジスタと前記第５のトランジスタと相補的なダイオードを用いて構成され、前記スライス回路から出力される同期信号が取り除かれた映像信号をバッファリングする第３のバッファ回路と、
前記第３のバッファ回路から出力される同期信号が取り除かれた映像信号を積分する積分回路と
を備える
ことを特徴とする監視カメラ。
【発明の詳細な説明】
【０００１】
【発明の属する技術分野】
本発明は、照明装置を備え、夜間でも被写体を撮像できる監視カメラに係り、特に、照明の明るさを撮像した被写体の明るさに応じて制御する監視カメラに関する。
【０００２】
【従来の技術】
従来、照明装置を備え、夜間でも被写体を良好に撮像できるようになされた監視カメラが知られており、そのような監視カメラの一つとして、照明の明るさを被写体の明るさに基づいて制御するものがある。
【０００３】
そのような監視カメラの概略の構成例を図４に示す。図４において、１はカメラ部、２はバッファ回路、３は照明制御信号生成回路、４は照明駆動回路、５は照明装置を示す。
【０００４】
カメラ部１は、ＣＣＤ、その駆動回路、及び複合映像信号を生成するための信号処理回路を含んでおり、このカメラ部１からは複合映像信号が出力される。このようなカメラ部は、モジュール化されて市販されているものがあるので、そのようなものを用いることができる。
このカメラ部１から出力される複合映像信号は、ＮＴＳＣ方式、ＰＡＬ方式等の、いわゆる標準方式に準拠したものであるのが一般的である。
【０００５】
なお、本明細書では、複合映像信号とは、映像信号に同期信号が付加されたものをいう。従って、映像信号は、複合映像信号から同期信号を除いたものであり、被写体の明るさに応じて変化する信号成分である。
【０００６】
さて、カメラ部１から出力された複合映像信号はバッファ回路２に入力され、バッファリングされる。そして、バッファ回路２の出力は、図示しないモニタに供給されると共に、照明制御信号生成回路３に入力される。
【０００７】
照明制御信号生成回路３は積分回路で構成され、この積分回路によって複合映像信号が積分される。この積分値が照明制御信号である。そして、この照明制御信号生成回路３で生成された照明制御信号が照明駆動回路４に供給される。照明駆動回路４は、この照明制御信号に基づいて照明装置５の発光量を制御する。
【０００８】
このように、照明装置５の発光量、即ち照明の明るさは、複合映像信号を積分して得られた照明制御信号に基づいて決定されるのであり、その複合映像信号の積分値は被写体の明るさによって変化するから、結局、照明装置５の発光量は被写体の明るさに応じて制御されることになる。このときの照明装置５の発光量の制御の態様は、被写体が明るくなった場合には発光量を小さくし、被写体が暗くなった場合には発光量を大きくするようにする。
【０００９】
ここで、照明装置５としては発光量を制御信号によって制御できるものであればどのような発光素子を用いてもよい。図５に、照明装置５として赤外線発光ＬＥＤを用いた場合の照明駆動回路４の構成例を示す。図５において、６はバッファ回路、７は反転増幅回路、８は定電流回路を示す。また、照明装置５は赤外線発光ＬＥＤが所定個数直列に接続されて構成されている。なお、図５では、被写体の明るさが明るいときには照明制御信号の電圧は高くなり、被写体が暗い場合には照明制御信号の電圧は低くなるものとする。
【００１０】
照明制御信号はバッファ回路６によりバッファリングされ、反転増幅回路７で極性が反転されて定電流回路８に入力される。図示の定電流回路８は周知の構成のものであり、入力電圧が低くなると照明装置５に流れる電流が少なくなり、入力電圧が高くなると照明装置５に流れる電流が多くなるように動作する。
【００１１】
従って、図５に示す構成によれば、被写体の明るさが次第に暗くなると、照明制御信号の電圧は低くなり、その照明制御信号が反転増幅回路７によって極性が反転されて定電流回路８に入力されるので、照明装置５に流れる電流が増加するので発光量は次第に大きくなる。逆に、被写体の明るさが次第に明るくなると、照明制御信号の電圧は高くなり、その照明制御信号が反転増幅回路７によって極性が反転されて定電流回路８に入力されるので、照明装置５に流れる電流は少なくなり、その発光量は次第に小さくなる。
【００１２】
【発明が解決しようとする課題】
ところで、上述したように、従来のものでは、照明制御信号は複合映像信号を積分することによって生成している。しかし、複合映像信号は映像信号に同期信号が付加されたものであり、映像信号は被写体の明るさに応じて変化するが、同期信号は被写体の明るさとは無関係なものである。従って、複合映像信号を積分して生成された照明制御信号には、被写体の明るさとは無関係な同期信号の部分をも積分した成分も含まれていることになる。
【００１３】
このような照明制御信号に基づいて照明装置５の発光量を制御しているのであるが、照明装置５の発光量の制御範囲には自ずから制限があり、その制限された制御範囲で発光量の制御を行う場合に、照明制御信号に被写体の明るさとは無関係な成分が含まれていたのでは、真に被写体の明るさのみに基づいて制御できる発光量の範囲は狭くなってしまう。これは、発光量の制御範囲のダイナミックレンジが狭くなってしまうということもできる。
【００１４】
このことから、照明装置５の発光量を、真に被写体の明るさのみに基づいて制御するためには、照明制御信号を映像信号に基づいて生成すればよいことは容易に理解できる。上述した通り、映像信号は被写体の明るさに応じて変化するものであり、同期信号を含んでいないからである。
【００１５】
そのためには、カメラ部１から映像信号のみを取り出すようにすればよいが、上述したように、カメラ部１はモジュール化されているのが一般的であり、市販されているカメラ部には通常は映像信号の出力端子は設けられていないので、新たに映像信号の出力端子を有するカメラ部を作成するか、あるいはカメラ部に加工を施して映像信号を出力できるようにする必要があった。
【００１６】
しかし、新たに映像信号の出力端子を有するカメラ部を作るとなると、その開発、製造にコストがかかることになり、また、市販のカメラ部を、映像信号を出力できるように加工するとなると、その加工を行う手間がかかるばかりでなく、出力される映像信号のＳ／Ｎ比の低下を招いてしまう可能性もある。
【００１７】
そこで、本発明は、照明装置を備える監視カメラにおいて、簡単な回路を用いて、映像信号のみに基づいて照明の明るさを制御する照明制御信号を生成することを目的とする。
【００１８】
【課題を解決するための手段】
上記の目的を達成するために、請求項１に係る監視カメラは、複合映像信号を出力するカメラ部と、照明装置と、前記カメラ部から出力される複合映像信号をバッファリングする第１のバッファ回路と、前記第１のバッファ回路から出力される複合映像信号から同期信号をスライスして取り除して映像信号のみを取り出し、積分して照明制御信号を生成する照明制御信号生成回路と、前記照明制御信号生成回路で生成された照明制御信号に基づいて前記照明装置の発光量を制御する照明駆動回路とを備える監視カメラであって、前記照明制御信号生成回路は、前記第１のバッファ回路から入力される複合映像信号の直流分をカットするコンデンサと、第１のトランジスタを用いて構成され、前記コンデンサで直流分がカットされた複合映像信号を入力して、その複合映像信号の同期信号の先端を所定の電位にクランプするクランプ回路と、前記第１のトランジスタとは相補的な第２のトランジスタを用いた１段のバッファ増幅器で構成され、前記クランプ回路から出力された複合映像信号をバッファリングする第２のバッファ回路と、互いに相補的な第３、第４の２つのトランジスタを用いて構成され、前記第２のバッファ回路から出力される複合映像信号から同期信号をスライスして取り除くスライス回路と、互いに相補的な第５、第６の２つのトランジスタ、または、第５のトランジスタと前記第５のトランジスタと相補的なダイオードを用いて構成され、前記スライス回路から出力される同期信号が取り除かれた映像信号をバッファリングする第３のバッファ回路と、前記第３のバッファ回路から出力される同期信号が取り除かれた映像信号を積分する積分回路とを備えることを特徴とする。
【００１９】
【発明の実施の形態】
以下、図面を参照しつつ発明の実施の形態について説明する。
監視カメラ全体のブロック構成は図４に示すと同じであるが、照明制御信号生成回路３の構成が従来とは異なっている。カメラ部１、バッファ回路３、照明駆動回路４及び照明装置５は従来と同様でよい。また、ここでは照明駆動回路４及び照明装置５はそれぞれ図５に示すようであるとする。
【００２０】
図１は、照明制御信号生成回路３の一実施形態を示す図であり、図中、Ｃ1 は直流カット用コンデンサ、１０はクランプ回路、１１はバッファ回路、１２はスライス回路、１３はバッファ回路、１４は積分回路を示す。図１において、トランジスタＱ1 、Ｑ4 、Ｑ6 はＮＰＮ型トランジスタであり、トランジスタＱ2 、Ｑ3 、Ｑ5 はＰＮＰ型トランジスタである。また、図１において、○印に横棒を通したマークは電源を示している。
【００２１】
以下、動作について説明する。なお、ここでは、カメラ部１から出力される複合映像信号はＮＴＳＣ方式に準拠したものであるとする（以下、ＮＴＳＣ信号と称す）。ＮＴＳＣ信号は図２（ａ）に示すように負同期の複合映像信号である。
【００２２】
カメラ部１から出力されたＮＴＳＣ信号はバッファ回路２に入力され、バッファリングされる。そして、バッファ回路２の出力は、図示しないモニタに供給されると共に、照明制御信号生成回路３に入力される。
【００２３】
図１に示す照明制御信号生成回路３のＡ点に入力されたＮＴＳＣ信号は、まずコンデンサＣ1 によって直流分がカットされてクランプ回路１０に入力される。図１に示すクランプ回路１０は、トランジスタＱ1 、抵抗Ｒ1 、Ｒ2 、Ｒ3 で構成されている。即ち、クランプ回路１０に用いられるトランジスタは１つである。トランジスタＱ1 のコレクタは電源に接続され、エミッタは抵抗Ｒ3 を介して接地され、ベースは、電源と接地の間に配置された抵抗Ｒ1 と抵抗Ｒ2 の直列回路の、抵抗Ｒ1 と抵抗Ｒ2 の接続点に接続されている。つまり、トランジスタＱ1 はバッファとして機能するのである。そして、コンデンサＣ1 によって直流分がカットされたＮＴＳＣ信号は、トランジスタＱ1 と抵抗Ｒ3 の接続点に入力され、同じ箇所から出力される。
【００２４】
このクランプ回路１０により、図２（ｂ）に示すように、ＮＴＳＣ信号の同期信号の先端は、所定の電位Ｖ1 にクランプされる。このクランプされる電位Ｖ1 は、抵抗Ｒ1 と抵抗Ｒ2 の抵抗値で決定されるトランジスタＱ1 のベース電圧より、トランジスタＱ1 のベース−エミッタ間電圧分だけ低い電位である。即ち、トランジスタＱ1 のベース電圧をＶ1B、トランジスタＱ1 のベース−エミッタ間電圧をＶ1BE とすると、
Ｖ1 ＝Ｖ1B −Ｖ1BE              …(1)
である。つまり、クランプ回路１０の出力端の直流電位はＶ1 となるのである。
【００２５】
このようにして、クランプ回路１０からは同期信号の先端がＶ1 にクランプされたＮＴＳＣ信号が出力される。つまり、このクランプ回路１０によって、ＮＴＳＣ信号には、新たにＶ1 という直流電位が与えられるのである。
そして、クランプ回路１０の出力は、トランジスタＱ1 と抵抗Ｒ3 の接続点から次段のバッファ回路１１に入力される。
【００２６】
バッファ回路１１は１つのトランジスタを用いた１段のバッファ増幅器で構成されている。このバッファ回路１１に用いるトランジスタＱ2 としては、クランプ回路１０に用いられるトランジスタＱ1 と互いに相補的なトランジスタ、即ち極性が反対のトランジスタを用いて構成される。図１ではトランジスタＱ1 はＮＰＮ型、トランジスタＱ2 はＰＮＰ型であり、その極性は反対であり、互いに相補的である。
このようにするのは温度補償を目的としたものであり、後述するように、このことによりバッファ回路１１の出力端の直流電位は温度が変化しても略一定に保たれることになる。
【００２７】
さて、クランプ回路１０から出力されたＮＴＳＣ信号はバッファ回路１１でバッファリングされて、次段のスライス回路１２に入力される。バッファ回路１１から出力されるＮＴＳＣ信号の波形はクランプ回路１０の出力と同じであるが、バッファ回路１１から出力されるＮＴＳＣ信号の同期信号の先端の電位Ｖ2 は、クランプ回路１０でクランプされた電位Ｖ1 より、トランジスタＱ2 のベース−エミッタ間電圧分だけ高くなる。
【００２８】
従って、トランジスタＱ2 のベース−エミッタ間電圧をＶ2BE とすると、
0004029961.tif 000002
である。つまり、このバッファ回路１１によって、ＮＴＳＣ信号の直流電位はＶ1 からＶ2 に変更されるのである。このバッファ回路１１から出力されるＮＴＳＣ信号の波形の例を図２（ｃ）に示す。このように、ＮＴＳＣ信号が入力されるＡ点での波形と、クランプ回路１０の出力の波形、及びバッファ回路１１の出力の波形は同じものであり、直流電位のみが異なっているのである。
【００２９】
バッファ回路１１の出力は次段のスライス回路１２に入力される。スライス回路１２は、温度補償のために、互いに相補的な２つのトランジスタＱ3 、Ｑ4 を用いて構成されている。図１ではトランジスタＱ3 はＰＮＰ型、トランジスタＱ4 はＮＰＮ型であり、その極性は反対であり、互いに相補的である。
なお、温度補償については後述する。
【００３０】
スライス回路１２の構成は次のようである。
バッファ回路１１の出力端には抵抗Ｒ5 の一端が接続され、抵抗Ｒ5 の他端はトランジスタＱ4 のエミッタに接続され、トランジスタＱ4 のコレクタ、ベースはそれぞれ電源、トランジスタＱ3 のエミッタに接続されている。トランジスタＱ3 とトランジスタＱ4 の接続点は抵抗Ｒ8 を介して電源に接続されている。トランジスタＱ3 のコレクタは接地され、そのベースは、電源と接地の間に配置された抵抗Ｒ6 と抵抗Ｒ7 の直列回路の、抵抗Ｒ6 と抵抗Ｒ7 の接続点に接続されている。そして、このスライス回路１２の出力端は、抵抗Ｒ5 とトランジスタＱ4 との接続点である。この構成において、トランジスタＱ3 及びトランジスタＱ4 は共にバッファとして機能する。
【００３１】
ここで、図１のＢ点、即ちスライス回路１２の出力端の直流電位をＶ3 とすると、この直流電位Ｖ3 は、抵抗Ｒ6 と抵抗Ｒ7 により決まるトランジスタＱ3 のベース電圧より、トランジスタＱ3 のベース−エミッタ電圧分だけ高く、その電位から更にトランジスタＱ4 のベース−エミッタ間電圧分だけ低い電位となる。即ち、スライス回路１２の出力端の電位をＶ3 、トランジスタＱ3 のベース電位をＶ3B、トランジスタＱ3 のベース−エミッタ間電圧をＶ3BE 、トランジスタＱ4 のベース−エミッタ間電圧をＶ4BE とすると、
Ｖ3 ＝Ｖ3B ＋Ｖ3BE −Ｖ4BE            …(3)
である。
【００３２】
そして、このスライス回路１２により、ＮＴＳＣ信号は、同期信号の先端から、スライス回路１２の出力端の直流電位Ｖ3 とバッファ回路１１の出力端の直流電位Ｖ2 との差（Ｖ3 −Ｖ2 ）の分だけスライスされて取り除かれることになる。
【００３３】
この照明制御信号生成回路３の目的は、ＮＴＳＣ信号から同期信号を取り除いて、映像信号のみを取り出すことにある。このことによって、スライス回路１２の出力は映像信号のみとなり、この映像信号を後述する積分回路１４によって積分することにより、映像信号のみに基づいて照明制御信号を生成することができるからである。
【００３４】
従って、このスライス回路１２においては、スライス回路１２の出力端の直流電位Ｖ3 とバッファ回路１１の出力端の直流電位Ｖ2 との差（Ｖ3 −Ｖ2 ）が、同期信号の高さの電圧、即ち同期信号の両端間の電圧に等しくなるように、即ち、
Ｖ3 −Ｖ2 ＝ＶSY            …(4)
となるように設定されている。ここで、ＶSYはＮＴＳＣ信号の同期信号の高さの電圧であり、図２（ｃ）に示す電圧である。
このような設定は、２つの抵抗Ｒ6 、Ｒ7 の抵抗値を選択することで行うことができる。具体的には、上記(1)〜(4)式より、
Ｖ3B＝ＶSY＋Ｖ1B−Ｖ1BE＋Ｖ2BE−Ｖ3BE＋Ｖ4BE      …(5)
となるように抵抗Ｒ6 、Ｒ7 の抵抗値を選択すればよい。
以上のようであるので、スライス回路１２に入力されたＮＴＳＣ信号の同期信号はスライスされて取り除かれ、図２（ｄ）に示すように、映像信号のみが出力される。
【００３５】
スライス回路１２から出力された映像信号は、バッファ回路１３に入力されてバッファリングされる。バッファ回路１３は、温度補償のために、互いに相補的な２つのトランジスタＱ5 、Ｑ6 を用いて構成されている。図１ではトランジスタＱ5 はＰＮＰ型、トランジスタＱ6 はＮＰＮ型であり、その極性は反対であり、互いに相補的である。
トランジスタＱ5 のベースにはスライス回路１２からの映像信号が入力され、そのコレクタは接地され、エミッタは抵抗Ｒ9 を介して電源に接続され、そのエミッタと抵抗Ｒ9 の接続点にはトランジスタＱ6 のベースとコレクタが接続され、トランジスタＱ6 のエミッタから映像信号が出力される。
【００３６】
バッファ回路１３から出力された映像信号は、積分回路１４に入力される。積分回路は、バッファ回路１３の出力端と接地との間に配置された、積分用のコンデンサＣ2 と放電用抵抗Ｒ10 とからなる並列回路で構成されている。
【００３７】
コンデンサＣ2 への充電は、バッファ回路１３の電源から、抵抗Ｒ9 及びトランジスタＱ6 を介して行われるので、積分回路１４の積分値（電圧）は、バッファ回路１３から出力される映像信号の振幅に応じて変化する。
つまり、積分回路１４の充電時定数は抵抗Ｒ9 とコンデンサＣ2 とで決まるのである。また、放電時定数は抵抗Ｒ10 とコンデンサＣ2 とで決まる。これらの充電時定数及び放電時定数をどのように設定するかは任意である。
【００３８】
積分回路１４の出力電圧が照明制御信号であり、照明駆動回路４に入力される。そして、照明駆動回路４は照明制御信号に基づいて照明装置５の発光量を制御する。その制御の態様は上述したと同じであるので説明は省略する。
【００３９】
次に、図１に示す回路構成における温度補償について説明する。
まず、照明制御信号生成回路３において温度補償が必要であることの理由について説明する。
例えば、スライス回路１２を考えてみると、スライス回路１２の入力端の直流電位Ｖ2 と、出力端の直流電位Ｖ3 が温度によって変化してしまうと、ＮＴＳＣ信号からスライスして取り除く同期信号に相当すべき電圧の大きさが変わってしまい、ＮＴＳＣ信号からスライスして取り除く同期信号に相当すべき電圧の大きさが変わってしまうと照明の明るさの制御を正確に行うことができなくなってしまうことになる。このようなことは積分回路１４に関しても同様である。即ち、積分回路１４の出力電圧は、被写体が真っ暗の場合には 0Ｖであるのが理想的であるが、実際には若干の直流電圧が発生しており、この電圧はスライス回路１２におけるスライスレベルであるＶ3 （図１のＢ点での直流電位）の電位に依存し、バッファ回路１３のトランジスタＱ5 のベース−エミッタ電圧の温度変化の影響を受けることになる。そこで、温度補償を行うことが必要になるのである。
【００４０】
ところで、トランジスタのベース−エミッタ間電圧は温度係数を持っていることは周知の事実であり、それは一般的におよそ−2.5ｍＶ／℃といわれている。また、一般的に、25℃のときのベース−エミッタ間電圧は 600ｍＶといわれている。従って、例えば、温度が−20℃から＋50℃まで変化した場合には、トランジスタのベース−エミッタ間電圧は 712.5ｍＶから 537.5ｍＶと大きく変動してしまう。
【００４１】
そこで、まず、クランプ回路１０について考えてみる。
クランプ回路１０の出力端の直流電位Ｖ1 は、上述した通り、抵抗Ｒ1 と抵抗Ｒ2 によって決まるトランジスタＱ1 のベース電圧Ｖ1BよりもトランジスタＱ1 のベース−エミッタ間電圧Ｖ1BE 分だけ低い電位である。そして、ここで、抵抗Ｒ1 、Ｒ2 は一般的なものを使用しても温度による変動は小さく無視できるが、トランジスタＱ1 のベース−エミッタ間電圧Ｖ1BE は温度により変化してしまう。例えば、いま、クランプ回路１０のトランジスタＱ1 のベース電位が 740ｍＶとすると、温度が−20℃から＋50℃まで変化したとすると、クランプ回路１０の出力端の直流電位Ｖ1 は 27.5ｍＶから 202.5ｍＶまで変動してしまう。
【００４２】
しかし、クランプ回路１０の出力端の直流電位が温度によって変動してしまうと、後段のスライス回路１２で取り除かれるＮＴＳＣ信号の同期信号に相当すべき電圧の大きさが変わってしまうことになる。
【００４３】
そこで、図１に示す構成では、クランプ回路１０の次段であるバッファ回路１１を構成するトランジスタＱ2 として、クランプ回路１０で用いられるトランジスタＱ1 とは極性が反対のトランジスタを用いているのである。つまり、温度が変化してトランジスタＱ1 のベース−エミッタ間電圧が変化したとき、トランジスタＱ2 のベース−エミッタ間電圧も同じ量だけ変化する。従って、上記の(2)式から容易に理解できるように、２つのトランジスタＱ1 、Ｑ2 のベース−エミッタ間電圧の変化量は相殺されることになり、バッファ回路１１の出力端の直流電位Ｖ2 は、理論的には一定に保たれるのである。
【００４４】
次に、スライス回路１２における温度補償についてであるが、スライス回路１２の温度補償の動作は、上述したクランプ回路１０のトランジスタＱ1 と、バッファ回路１１のトランジスタＱ2 とによる温度補償の動作と同じである。即ち、温度が変化したときのトランジスタＱ3 のベース−エミッタ間電圧Ｖ3BE の変化量と、トランジスタＱ4 のベース−エミッタ間電圧Ｖ4BE の変化量とは理論的には同じであり、従って、上記の(3)式から、２つのトランジスタＱ3 、Ｑ4 のベース−エミッタ間電圧の変化量は相殺されることになり、スライス回路１２の出力端の直流電位Ｖ3 は、理論的には一定に保たれるのである。
【００４５】
バッファ回路１３における温度補償の動作も同様であり、温度が変化したときのトランジスタＱ5 のベース−エミッタ間電圧の変化量と、トランジスタＱ6 のベース−エミッタ間電圧の変化量とは理論的には同じであり、トランジスタＱ5 とトランジスタＱ6 の極性が異なっていることによって、それらの変化量が相殺されるので、積分回路１４の出力端の直流電位は理論的には温度に因らず一定となるのである。
【００４６】
Ｖ1BとＶ3Bを適当な値に設定して実験を行ったところ、バッファ回路１１の出力端の直流電位は、−20℃のときに  780ｍＶ、＋25℃の時に 770ｍＶ、＋50℃の時に 760ｍＶであり、またスライス回路１２の出力端の直流電位は、−20℃のときに1570ｍＶ、＋25℃の時に1560ｍＶ、＋50℃の時に1550ｍＶであり、何れも温度変化の影響をほとんど受けていないことが確認された。
【００４７】
以上のようであるので、この照明制御信号生成回路３によれば、照明制御信号は映像信号のみに基づいて生成されるので、照明装置５の発光量、即ち照明の明るさを、被写体の明るさだけに基づいて制御することが可能である。
また、温度補償の対策が施されているので、温度の変化に因らず複合映像信号から同期信号のみを取り除くことができ、映像信号のみを得ることができる。
更に、図１に示す照明制御信号生成回路３は簡単な構成であるので、コストの上昇を最小限に抑えることができる。
また更に、カメラ部１に対して何等の加工をも施す必要がないので、市販のカメラ部をそのまま用いることができる。
【００４８】
以上、一実施形態について説明したが、次に変形例について説明する。
図１に示すバッファ回路１３のトランジスタＱ6 はダイオードとして機能しているので、トランジスタＱ6 に代えて、ダイオードを用いてもよい。その場合のバッファ回路１３の構成例を図３に示す。このとき、ダイオードＤ1 は、トランジスタＱ5 と相補的になるように接続する。図ではトランジスタＱ5 はＰＮＰ型トランジスタを用いたバッファであるので、図３に示すようにダイオードＤ1 を、そのアノードがトランジスタＱ5 の出力端に、カソードを積分回路１４に接続するようにする。図３に示す回路においても温度補償がなされることは明らかである。なぜなら、温度が変化に伴うダイオードのアノード−カソード間電圧の変化量は、トランジスタのベース−エミッタ間電圧の変化量と同等であり、図３に示す構成では、温度変化があった場合、ダイオードＤ1 のアノード−カソード間電圧の変化量と、トランジスタＱ5 のベース−エミッタ間電圧の変化量とは相殺されるからである。
【図面の簡単な説明】
【図１】本発明に係る監視カメラの照明制御信号生成回路の実施形態を示す図である。
【図２】図１の各部の波形を示す図である。
【図３】バッファ回路１３の変形例を示す図である。
【図４】照明装置を備え、照明の明るさを被写体の明るさに基づいて制御する監視カメラの概略の構成例を示す図である。
【図５】図４の照明駆動回路４、照明装置５の構成例を示す図である。
【符号の説明】
１…カメラ部、２…バッファ回路、３…照明制御信号生成回路、４…照明駆動回路、５…照明装置、１０…クランプ回路、１１…バッファ回路、１２…スライス回路、１３…バッファ回路、１４…積分回路。
【図１】
0004029961.tif 000003
【図２】
0004029961.tif 000004
【図３】
0004029961.tif 000005
【図４】
0004029961.tif 000006
【図５】
0004029961.tif 000007